(57)【要約】【課題】用紙の排出状態とプリンターの動作状態とを容易に把握可能に構成する。【解決手段】プリンターは、前記筐体に収容され、用紙に印刷を行う印刷部と、前記印刷部で印刷される前記用紙を排出する用紙排出口と、前記用紙排出口から離間した位置に設けられる発光部と、前記発光部の光を導く光ファイバーと、前記光ファイバーを通る光を出射する表示部と、を有し、前記表示部は前記用紙排出口に近接して配置される。【選択図】図３
2020185671.tif 000002
【特許請求の範囲】
【請求項１】
筐体と、
前記筐体に収容され、用紙に印刷を行う印刷部と、
前記印刷部で印刷される前記用紙を排出する用紙排出口と、
前記用紙排出口から離間した位置に設けられる発光部と、
前記発光部の光を導く光ファイバーと、
前記光ファイバーを通る光を出射する表示部と、を有し、
前記表示部は前記用紙排出口に近接して配置されることを特徴とするプリンター。
【請求項２】
請求項１に記載のプリンターであって、
前記光ファイバーの径寸法は、前記発光部の外形寸法よりも小さいことを特徴とするプリンター。
【請求項３】
請求項１または請求項２に記載のプリンターであって、
前記筐体は、前記用紙排出口を構成する上面パネルを有し、
前記上面パネルに前記表示部が設けられることを特徴とするプリンター。
【請求項４】
請求項１から請求項３のいずれか一項に記載のプリンターにおいて、
前記発光部は発光ダイオードであり、
前記発光ダイオードが実装される基板と、
前記実装された前記発光ダイオードと空間を設けて、前記発光ダイオードを覆うシール部と、を有し、
前記光ファイバーの一方端部が前記空間に達するように、前記光ファイバーが前記シール部に挿通され、
前記シール部は、前記発光ダイオードの光を反射させる表面処理が施されることを特徴とするプリンター。
【請求項５】
筐体と、
前記筐体の表面から離間した位置に設けられる発光部と、
前記発光部の光を導く光ファイバーと、
前記光ファイバーを通る光を出射する表示部と、を有し、
前記表示部は前記筐体の表面に配置されることを特徴とする電子機器。
【発明の詳細な説明】
【技術分野】
【０００１】
本発明は、プリンター及び電子機器に関する。
【背景技術】
【０００２】
従来、特許文献１に示すように、複数の発光部を含むパネル部を備えたプリンターが知られている。
【先行技術文献】
【特許文献】
【０００３】
【特許文献１】特開２０１１−４２１３４号公報
【発明の概要】
【発明が解決しようとする課題】
【０００４】
しかしながら、上記プリンターでは、用紙が排出される排出口とパネル部とが互いに離れた位置に配置されるため、ユーザーは、用紙の排出状況とプリンターの動作状況とを確認するにあたり、排出口及びパネル部のそれぞれに視線を移す必要が発生するため、ユーザーの利便性が低下する、という課題があった。なお、パネル部の位置を移動させる場合には、パネル部を配置するスペースを考慮する必要となるため、さらなるパネル部の縮小化が望まれる。
【課題を解決するための手段】
【０００５】
本願のプリンターは、筐体と、前記筐体に収容され、用紙に印刷を行う印刷部と、前記印刷部で印刷される前記用紙を排出する用紙排出口と、前記用紙排出口から離間した位置に設けられる発光部と、前記発光部の光を導く光ファイバーと、前記光ファイバーを通る光を出射する表示部と、を有し、前記表示部は前記用紙排出口に近接して配置されることを特徴とする。
【０００６】
上記プリンターでは、前記光ファイバーの径寸法は、前記発光部の外形寸法よりも小さいことが好ましい。
【０００７】
上記プリンターは、前記筐体は、前記用紙排出口を構成する上面パネルを有し、前記上面パネルに前記表示部が設けられることが好ましい。
【０００８】
上記プリンターでは、前記発光部は発光ダイオードであり、前記発光ダイオードが実装される基板と、前記実装された前記発光ダイオードと空間を設けて、前記発光ダイオードを覆うシール部と、を有し、前記光ファイバーの一方端部が前記空間に達するように、前記光ファイバーが前記シール部に挿通され、前記シール部は、前記発光ダイオードの光を反射させる表面処理が施されることが好ましい。
【０００９】
本願の電子機器は、筐体と、前記筐体の表面から離間した位置に設けられる発光部と、前記発光部の光を導く光ファイバーと、前記光ファイバーを通る光を出射する表示部と、を有し、前記表示部は前記筐体の表面に配置されることを特徴とする。
【図面の簡単な説明】
【００１０】
【図１】プリンターの構成を示す外観斜視図。
【図２】プリンターの使用例を示す説明図。
【図３】プリンターの構成を示す断面図。
【図４】プリンターの一部構成を示す拡大図。
【発明を実施するための形態】
【００１１】
図１は、プリンター１の構成を示す外観斜視図である。図２は、プリンター１の使用例を示す説明図である。図３は、プリンター１の構成を示す断面図である。図４は、プリンター１の一部構成を示す拡大図であり、発光部としての発光ダイオード５０及び光ファイバー６０の一方端部を示す図である。
【００１２】
本実施形態にかかるプリンター１は、ロール状の用紙Ｓに対して印刷部としての感熱方式のサーマルヘッド３１により印刷を行うものであり、例えば、ＰＯＳシステム等に用いられるレシートプリンターである。
【００１３】
プリンター１は、筐体としてのケース本体４を備える。ケース本体４は、サーマルヘッド３１等を収容する。ケース本体４は樹脂材で形成される。ケース本体４は、ケース本体４の上部に配置される上面パネル６と、ケース本体４の前方に配置される前面パネル７とを有する。前面パネル７には、開閉カバー８が設けられる。開閉カバー８は、開閉カバー８の下方端部側における水平軸線を中心として回動可能に構成される。開閉カバー８の閉状態では、開閉カバー８は図示しないロック機構によってケース本体４側に保持される。前面パネル７の開閉カバー８の側方には開閉レバー１０が設けられる。開閉レバー１０を押下すると、開閉カバー８に取り付けられるロック機構のロックが解除され、開閉カバー８が開状態となり、ケース本体４の内部を露出させることができる。開閉カバー８の開状態において、ケース本体４の内部に設けられた用紙収納部３５にロール状の用紙Ｓを収納することができる。また、前面パネル７の開閉レバー１０の下方には、電源スイッチ１１が設けられる。
【００１４】
上面パネル６は、印刷された用紙Ｓを排出する用紙排出口１２を構成する。本実施形態では、上面パネル６と前面パネル７との境界部分に用紙排出口１２が配置される。また、用紙排出口１２に近接して表示部２０が配置される。表示部２０は、用紙排出口１２の上方であって上面パネル６に設けられる。
【００１５】
図２に示すように、プリンター１は、例えば、キャッシュドロワー１００と並列させた状態で使用される。キャッシュドロワー１００は、現金等を収容可能な箱体である。プリンター１及びキャッシュドロワー１００は、例えば、各種店舗のレジのテーブル１１０に配置される。これにより、現金等の受け渡しとともにプリンター１によって印刷されたレシートの取り扱いを容易に行うことができる。また、プリンター１及びキャッシュドロワー１００は、セキュリテー等を考慮して、客から直視困難なテーブル１１０の棚部１１１に配置される場合がある。
【００１６】
図３に示すように、ケース本体４の内部の用紙収納部３５に収納された用紙Ｓは、搬送経路Ｒに沿って搬送され用紙排出口１２に至る。用紙収納部３５の上方であり、搬送経路Ｒの途中には、サーマルヘッド３１とサーマルヘッド３１に対向して配置されるプラテンローラー３２とを備える。サーマルヘッド３１は用紙Ｓにドットを形成し、画像を印刷する。プラテンローラー３２はモーターにより回転駆動し、用紙Ｓは、プラテンローラー３２とサーマルヘッド３１とに挟持されて用紙排出口１２側に搬送される。
【００１７】
サーマルヘッド３１の用紙Ｓの搬送方向の下流側にはオートカッター３４が配置される。オートカッター３４は、モーターにより駆動する可動刃を備え、印刷され、先端が用紙排出口１２から排出された用紙Ｓをケース本体４内で切断する。
【００１８】
また、図３に示すように、断面視において、ケース本体４の内部であって、前面パネル７の反対側には基板３９が配置される。すなわち、用紙排出口１２と離間した位置に基板３９が配置される。当該基板３９には、サーマルヘッド３１、後述の発光ダイオード５０や各種モーター等の駆動を制御する制御部４０等が実装される。制御部４０は、ＣＰＵ（Central  Processing  Unit）、ＲＯＭ（Read  Only  Memory）やＲＡＭ（Random  Access  Memory）等のハードウェアを備える。制御部４０は、所定の制御プログラムをＣＰＵによって実行することにより、プリンター１を制御する。ＲＯＭは、不揮発性の記憶装置であり、ＣＰＵが実行する制御プログラム及び制御プログラムで処理されるデータを格納する。ＲＡＭは、ＣＰＵのワークエリアを構成する。ＣＰＵは、ＲＯＭ等から読み出した制御プログラムをＲＡＭに展開し、展開された制御プログラムを実行して、プリンター１を制御する。
【００１９】
また、基板３９には発光ダイオード５０が実装される。すなわち、発光ダイオード５０は、用紙排出口１２から離間した位置に設けられる。また、発光ダイオード５０の光を導く光ファイバー６０が配置される。光ファイバー６０は、発光ダイオード５０の光を、発光ダイオード５０から離れた位置に配置される表示部２０に伝える繊維状の伝送路である。光ファイバー６０は、例えば、石英ガラスやプラスチック材で形成される。
【００２０】
光ファイバー６０の径寸法Ｄ１は、発光ダイオード５０の外形寸法Ｄ２よりも小さい。図４に示すように、例えば、光ファイバー６０の径寸法Ｄ１は、０．２５ｍｍであり、発光ダイオード５０の最大の外形寸法Ｄ２は１．６ｍｍである。
【００２１】
光ファイバー６０の一方端部が発光ダイオード５０に近接して配置され、光ファイバー６０の他方端部が表示部２０に接続される。表示部２０では、光ファイバー６０の他方端部から光が射出されることで、ユーザーは表示された内容を把握することができる。
図３に示すように、光ファイバー６０は、用紙収納部３５の外側を通り上面パネル６の内壁に沿って引き廻される。すなわち、光ファイバー６０は、その径寸法Ｄ１が小さいことと、柔軟性を備えることで、上面パネル６の内壁とサーマルヘッド３１等との比較的狭い領域であっても、容易に引き廻しが可能である。
【００２２】
表示部２０の表示内容は、図１に示すように、例えば、電源のＯＮ／ＯＦＦを示す表示点２０ａ、用紙Ｓの搬送エラーの有無を示す表示点２０ｂや用紙Ｓの有無を示す表示点２０ｃである。この場合、各表示点２０ａ，２０ｂ，２０ｃに対応する発光ダイオード５０及び光ファイバー６０を設ける。各表示点２０ａ，２０ｂ，２０ｃの識別性を高めるために発光ダイオード５０の発光色を複数設けてもよい。発光色の例として、例えば、赤色、緑色や青色等である。なお、上記表示点２０ａ，２０ｂ，２０ｃに替えて、または、これらの他に、プリンター１の動作状況や高画質印刷の有無等の印刷仕様等を示す表示点を設けてもよい。なお、表示部２０は、光ファイバー６０の他方端部を露出させて表示させる形態であってもよいし、光ファイバー６０の他方端部を、透光性を有するフィルムを介して表示させる形態であってもよい。
【００２３】
ここで、表示部２０に発光ダイオード５０を直接配置する構成も考えられる。しかしながら、この場合、発光ダイオード５０を実装するための基板を、表示部２０の近傍に配置する必要が生じる。この場合、上記基板を配置するスペースを確保するため、表示部２０付近における筐体部分を大きくする必要があり、プリンター１の高さ方向の寸法が大きくなってしまう。また、用紙排出口１２と表示部２０とが離れてしまい、視認性が低下してしまう。そこで、本実施形態では、発光ダイオード５０及び発光ダイオード５０が実装される基板３９を、表示部２０から離間した位置に配置し、その位置から光ファイバー６０を用いて表示部２０に光を伝えるため、高さ寸法を大きくすることなく、用紙排出口１２と表示部２０とを近接させて配置することが可能となる。さらに、表示部２０に発光ダイオード５０を実装するための基板を配置した場合には、当該基板と制御部４０等が実装されるメインとなる基板３９に接続するためのＦＦＣ等の配線が必要となるため、部品点数が増え、コスト高のおそれが発生するが、本実施形態では、部品点数が抑えることが可能となる。また、表示部２０に発光ダイオード５０を実装するための基板を配置した場合には、例えば、ユーザーの手指が表示部２０に近づいた際、静電気により、基板が破壊され、発光ダイオード５０が発光されない状態になり得る。このため、基板に接地板等の静電気対策部品を設ける必要が生じるが、本実施形態では、表示部２０や用紙排出口１２に対して基板３９が離間して配置されるため、静電破壊を低減され、静電気対策部品を省略可能である。
【００２４】
また、図４に示すように、基板３９には、基板３９に実装された発光ダイオード５０と空間を設けて、発光ダイオード５０を覆うシール部５２を備える。シール部５２は、基板３９に接着剤や熱圧着等で固定される。シール部５２は、ドーム状を成し、シール部５２の内壁５３と基板３９とで囲まれ空間に、発光ダイオード５０が配置される。シール部５２は、金属材や樹脂材で形成される。そして、光ファイバー６０の一方端部がシール部５２内の空間に達するように、光ファイバー６０がシール部５２の内部に挿通される。また、シール部５２の内壁５３の面は、発光ダイオード５０から照射される光を反射させる表面処理が施される。表面処理は、例えば、銀蒸着処理や銀製のシートの貼付である。これにより、発光ダイオード５０の光をシール部５２内に集光させることが可能となり、光ファイバー６０による導光効果を高めることができる。
【００２５】
以上、本実施形態によれば、以下の効果を得ることができる。
【００２６】
光ファイバー６０を用いることにより、表示部２０を用紙排出口１２の近傍に配置することができ、ユーザーは、用紙排出口１２から用紙Ｓの排出状況と表示部２０によるプリンター１の動作状況とを同時期に容易に把握することが可能となり、ユーザーの利便性を向上させることできる。
また、用紙排出口１２と表示部２０とが上面パネル６に配置されるため、表示部２０の視認性を高めることができる。また、表示部２０を上面パネル６の狭いスペースに配置可能となり、例えば、プリンター１の高さ寸法を比較的低くすることができる。この場合、図２に示すように、プリンター１の高さ寸法をキャッシュドロワー１００の高さ寸法とほぼ同等にすることで、プリンター１とキャッシュドロワー１００とをテーブル１１０の棚部１１１に容易に並列させることができる。また、用紙排出口１２と表示部２０とが上面パネル６の前方に配置されるため、用紙排出口１２と表示部２０とがテーブル１１０の棚部１１１に隠れることがない。このため、ユーザーの視認性を確保することができる。
また、光ファイバー６０を用いることにより、表示部２０のスペースの縮小化が可能となり、表示部２０の配置にかかるデザインの自由度を高めることができる。
【００２７】
以下、変形例について説明する。
【００２８】
・変形例１
上記実施形態では、プリンター１の構成を例に説明したが、これに限定されない。例えば、プロジェクター等の電子機器にも適応することができる。すなわち、電子機器は、筐体と、筐体の表面から離間した位置に設けられる発光部と、発光部の光を導く光ファイバーと、光ファイバーを通る光を出射する表示部と、を有し、表示部は筐体の表面に配置される。この場合、例えば、タクトスイッチのスイッチ部分を、光ファイバーを介して光で照射させる構成であってもよい。このようにすれば、タクトスイッチの視認性を高めることができる。また、タクトスイッチと離間した位置に発光ダイオードが実装される基板が配置されるため、静電破壊の発生を抑制できる。
また、表示部の配置にかかるデザインの自由度を高めた電子機器を提供することができる。
【００２９】
・変形例２
上記実施形態では、一つの発光ダイオード５０に対して一本の光ファイバー６０を配置した構成としたが、これに限定されない。例えば、一つの発光ダイオード５０に対して複数の光ファイバー６０を配置した構成であってもよい。このようにすれば、部品点数を減らすことができる。
【００３０】
・変形例３
上記実施形態では、発光ダイオード５０の光を反射させるためのシール部５２を設けたが、この構成に限定されない。例えば、発光ダイオード５０の頂部に集光レンズを配置し、当該集光レンズ上に光ファイバー６０の一方端部を配置してもよい。このようにしても、光ファイバー６０の導光効果を向上させることができる。
【００３１】
以下に、実施形態から導き出される内容を記載する。
【００３２】
プリンターは、筐体と、前記筐体に収容され、用紙に印刷を行う印刷部と、前記印刷部で印刷される前記用紙を排出する用紙排出口と、前記用紙排出口から離間した位置に設けられる発光部と、前記発光部の光を導く光ファイバーと、前記光ファイバーを通る光を出射する表示部と、を有し、前記表示部は前記用紙排出口に近接して配置されることを特徴とする。
【００３３】
この構成によれば、表示部を用紙排出口の近傍に配置することで、ユーザーは、用紙の排出状況とプリンターの動作状況とを同時期に容易に把握することが可能となり、ユーザーの利便性を向上させることできる。
また、光ファイバーの出射光が表示部として機能する。このため、表示部には実装基板などを配置する必要がないので、表示部の配置スペースの縮小化が可能となり、表示部の配置にかかるデザインの自由度を高めることができる。
【００３４】
上記プリンターでは、前記光ファイバーの径寸法は、前記発光部の外形寸法よりも小さいことが好ましい。
【００３５】
この構成によれば、光ファイバーの径寸法が小さいことにより、発光部を表示部に備えた構成に比べ、表示部を用紙排出口に容易に近接させて配置することが可能となる。
【００３６】
上記プリンターは、前記筐体は、前記用紙排出口を構成する上面パネルを有し、前記上面パネルに前記表示部が設けられることが好ましい。
【００３７】
この構成によれば、用紙排出口と表示部とが筐体の上面パネルに配置されるため、表示部の視認性を高めることができる。
また、表示部を上面パネルの狭いスペースに配置可能となり、例えば、プリンターの高さ寸法を比較的低くすることができる。
【００３８】
上記プリンターでは、前記発光部は発光ダイオードであり、前記発光ダイオードが実装される基板と、前記実装された前記発光ダイオードと空間を設けて、前記発光ダイオードを覆うシール部と、を有し、前記光ファイバーの一方端部が前記空間に達するように、前記光ファイバーが前記シール部に挿通され、前記シール部は、前記発光ダイオードの光を反射させる表面処理が施されることが好ましい。
【００３９】
この構成によれば、発光ダイオードの光をシール部内に集光させることが可能となり、光ファイバーによる導光効果を高めることができる。
【００４０】
電子機器は、筐体と、前記筐体の表面から離間した位置に設けられる発光部と、前記発光部の光を導く光ファイバーと、前記光ファイバーを通る光を出射する表示部と、を有し、前記表示部は前記筐体の表面に配置されることを特徴とする。
【００４１】
この構成によれば、表示部の配置スペースが縮小化され、表示部の配置にかかるデザインの自由度を高めた電子機器を提供することができる。
【符号の説明】
【００４２】
１…プリンター、４…ケース本体、６…上面パネル、７…前面パネル、８…開閉カバー、１０…開閉レバー、１２…用紙排出口、２０…表示部、２０ａ，２０ｂ，２０ｃ…表示点、３１…サーマルヘッド、３２…プラテンローラー、３４…オートカッター、３５…用紙収納部、３９…基板、４０…制御部、５０…発光ダイオード、５２…シール部、５３…内壁、６０…光ファイバー、１００…キャッシュドロワー、１１０…テーブル、１１１…棚部、Ｓ…用紙。
【図１】
2020185671.tif 000003
【図２】
2020185671.tif 000004
【図３】
2020185671.tif 000005
【図４】
2020185671.tif 000006